(57)【特許請求の範囲】
【請求項１】
ドアーの開口部に立設された柱や戸袋の開口側の角部に設けられるコーナー部分の保護装置において、柱等の角部に上下方向に所定寸法の切り欠き部を設け、該切り欠き部の内部に係止部を有する取付枠を取付ける一方、係止部に係合する係止脚部と、切り欠き部を閉塞する緩衝部からなる弾性カバー体の係止脚部の上下端部を切り欠き部の上下寸法より所定寸法短く形成し、かつ、緩衝部を切り欠き部より大きく形成する事により、取付枠に弾性カバー体を取り付けた状態で、係止脚部の下端面と切り欠き部の下端部を当接せしめて、弾性カバー体の下がり止めとなし、緩衝部にて切り欠き部を閉塞した事を特徴とするコーナー部分の保護装置
【請求項２】
取付枠が柱等より軟らかい材質からなり、弾性カバー体は合成樹脂材の押し出し成形により構成されている事を特徴とする請求項１に記載のコーナー部分の保護装置。
【発明の詳細な説明】
【０００１】
【発明の属する技術分野】
本発明は建物、特に病院や老人施設、養護施設等のドアーの開口部に立設された柱や、戸袋の上下方向の角部に沿って設けられるコーナー部分の保護装置に関するものである。
【０００２】
【従来の技術】
柱や壁の角部に人が突き当たったり、接触したりする事によって生じる打撲、障害等の減少、緩和、また車椅子、移動寝台、器材運搬車等の衝突から柱や壁面を保護する為のコーナー部分の保護装置としては、次の様なものが提供されていた。
【０００３】
例えば、ドアーの開口部の少なくとも対向する両側枠の開口側縁部に凹状の段部を形成し、上記段部にはその上下方向に適宜間隔をおいてブラケットを取付けると共に、このブラケットにクッション材を被着した支持材を固定して、上記クッション材により、上記段部の表面及び段部に連なる側枠開口面を被覆したものであった（特許第２９３６４９９号）。
【０００４】
上記構成によると、段部に設けたブラケット、ブラケットに固定される支持材、支持材に被着されたクッション材と、部材点数が多くなり、高価となるだけでなく、上下方向全幅に渡って段部を形成しているので、移動寝台、器材運搬車等の通過位置の所定幅だけ（必要な個所だけ）クッション材を設けると、段部とクッション材上下端部の上下方向に大きな隙間が生じ、非常に見苦るしいだけでなく、クッション材の上端面が埃溜まりとなり不衛生であった。
【０００５】
一方、上記見苦しさを取り除く為、クッション材を、段部の上下方向全幅に渡って設ける（上下端部が床及び天井面接するまで設ける）と、必要とする個所以外にもクッション材が位置する事となり、無駄なだけでなく、温度変化によるクッション材の膨張によって、クッションの上下端面が床及び天井に突っ張る事で、クッション材に波状の変形が生じたり、あるいは収縮によって、床及び天井とクッション材の上下端面間に隙間が生じ、埃溜まりとなるだけでなく、美観的に好ましくなかった。
【０００６】
【発明が解決しようとする課題】
本発明は、上記問題を解決する事を課題とし、簡単な構造で、必要な個所にのみクッション材を設ける事が出来、しかも、クッション材の膨張、収縮に影響される事もなく、外観を美麗に保つ事の出来るコーナー部分の保護装置を提供する事を目的とする。
【０００７】
【課題を解決する為の手段】
上記課題を解決する為に、本発明の第１の手段とて構成したところは、ドアーの開口部に立設された柱や戸袋の開口側の角部に設けられるコーナー部分の保護装置において、柱等の角部に上下方向に所定寸法の切り欠き部を設け、該切り欠き部の内部に係止部を有する取付枠を取付ける一方、係止部に係合する係止脚部と、切り欠き部を閉塞する緩衝部からなる弾性カバー体の係止脚部の上下寸法を切り欠き部の上下寸法より所定寸法短く形成し、かつ、緩衝部を切り欠き部より大きく形成する事により、取付枠に弾性カバー体を取り付けた状態で、係止脚部の下端面と切り欠き部の下端部を当接せしめて、弾性カバー体の下がり止めとなし、緩衝部にて切り欠き部を閉塞したものである。
【０００８】
次に、本発明の第２の手段とて構成したところは、取付枠が柱等より軟らかい材質からなり、弾性カバー体は合成樹脂材の押し出し成形により構成されているものである。
【０００９】
【実施例】
本発明の実施例を図面に基づいて説明する。
本発明のコーナー部分の保護装置１０は、図１に示す如く、ドアー１の開口部部１００における柱１、戸袋２の上下方向の角部に設けられるもので、柱１の開口部部１００側の角部に上下方向に所定寸法に渡って形成された切り欠き部３と、切り欠き部３の内部に取付られた係止部４１、４１を有する取付枠４と、係止部４１、４１に係合する係止脚部５１、５１と、切り欠き部３を閉塞する緩衝部５２からなる弾性カバー５体より構成されている。
【００１０】
切り欠き部３は、上下方向に所定寸法の長さで、柱１の正面部１１から開口部側部１２にかけて形成されている。
すなわち、切り欠き部３の周部には、正面側縁１３と、正面側上下縁１４、１５と、開口部側上下縁１６、１７、と、開口部側縁１８形成される事となる。
そして、切り欠き部３の内部には、正面部１１から所定の間隙を有して補強材３０が設けられ、取付枠４の取付空間４０が形成される。
【００１１】
取付枠４は、取付基板４１と、取付基板４１の開口部側部１２側と反対側の端部に形成され、正面部１１側の先端に係止部４２を有する第１支持突条４３と、取付基板４１の開口部側部１２側の端部に形成され、正面部１１側の先端に係止部４２を有し、開口部側部１２側で取付基板４１よりに嵌合溝４４が形成された第２支持突条４５より、切り欠き部３より短い高さ寸法で、正面部１１側が開口する断面略コ字形に、アルミニウムの型材より形成されている。
【００１２】
弾性カバー体５は、前記係止部４２、４２間に密嵌し、係止部４２、４２の後端に係止する係止頭部５１１、５１１を先端に有する係止脚部５１、５１と、前記嵌合溝４４に嵌合する嵌合突部５３と、切り欠き部３を閉塞する緩衝部５２より、軟質の合成樹脂材の押し出し成形により一体に構成されている。
そして、係止脚部５１、５１と、嵌合突部５３の上下端部を切り落として、上下寸法を切り欠き部３の上下寸法より所定寸法短く形成し、かつ、緩衝部５２を切り欠き部３より大きく形成し、周部が、前記正面側縁１３、正面側上下縁１４、１５、開口部側上下縁１６、１７、開口部側縁１８の表面側に所定幅重合するよう形成されている。
【００１３】
本発明は、上記の如く構成され、取付枠４を補強材３０にネジ止めして切り欠き部３内に位置せしめ、切り欠き部３の正面部１１側より、弾性カバー体５の係止脚部５１、５１を係止部４２、４２間に密嵌し、係止頭部５１１、５１１を係止部４２、４２の後端に係止させ、同時に嵌合突部５３を嵌合溝４４に嵌合すると、緩衝部５２の周部が、正面側縁１３、正面側上下縁１４、１５、開口部側上下縁１６、１７、開口部側縁１８の表面側に密着し、弾性カバー体５は緩衝部５２は切り欠き部３を完全に閉塞する。
【００１４】
【発明の効果】
本発明は、以上の如く構成されているので、請求項１に記載の発明によれば、取付枠と弾性カバー体の２部材から構成されているだけであるから、部品点数が少なく安価に製作できる。
又、柱等の角部に上下方向に所定寸法の切り欠き部を設け、該切り欠き部を閉塞するよう弾性カバー体をもうけているので、移動寝台、器材運搬車等の通過位置の所定高さだけ（必要な個所だけ）弾性カバー体を設けるとことができ、無駄がない。
さらに、切り欠き部の内部に取付枠を設けているので、取付枠に取付られる弾性カバー体は柱等より大きく張り出す事がなく、美観上好ましい。
又、係止脚部の上下寸法を切り欠き部の上下寸法より所定寸法短く形成し、かつ、緩衝部を切り欠き部より大きく形成する事により、取付枠に弾性カバー体を取り付けた状態で、係止脚部の下端面が切り欠き部の下端部に当接して、弾性カバー体の下がり止めとなり、弾性カバーが不測にずり落ちる心配がないと共に、、係止脚部上端と切り欠き部の上端間、及び、緩衝部の周部と切り欠き部の縁部の重なりしろで、温度変化による、弾性カバー体の膨張、収縮を吸収するので、、常時美麗な状態を保つ事が出来る。
【００１５】
次に請求項２に記載の発明によれば、取付枠が柱等より軟らかい材質からなり形成されているので、移動寝台等によって、弾性カバー体に相当の衝撃を受けても、最初に取付枠、弾性カバー体が損傷するので、柱等の破損を防ぐことが出来る。
【図面の簡単な説明】
【図１】本発明の使用状態を示す正面図
【図２】本発明の要部拡大正面図
【図３】図２のＡ−Ａ線拡大断面図
【図４】図２のＢ−Ｂ線拡大断面図
【符号の説明】
１            柱
２            戸袋
３            切り欠き部
４            取付枠
４２          係止部
５            弾性カバー体
５１          係止脚部
５２          緩衝部
【図１】
0003881585.tif 000002
【図２】
0003881585.tif 000003
【図３】
0003881585.tif 000004
【図４】
0003881585.tif 000005